(57)【特許請求の範囲】
【請求項１】
光伝送路を介して前段の波長多重伝送装置から受信された前記波長多重光のうち、パススルー伝送する波長帯域の波長多重光を、自装置から送信するデータの波長多重光と合波して後段の波長多重伝送装置へ送信する合波部を有する波長多重伝送装置において、
前記前段の波長多重伝送装置で光変調処理された波長多重光を受信し、前記受信した波長多重光のうち、自装置で終端する波長帯域の波長多重光とパススルー伝送する波長帯域の波長多重光とを分波する受信部と、
前記パススルー伝送する波長帯域の波長多重光から前記前段の波長多重伝送装置による光変調成分を検出する変調検出手段と、
ダミー光を発生するダミー光発生手段と、
前記ダミー光発生手段によるダミー光の発生を制御するダミー光制御手段とを備え、
前記変調検出手段により前記光変調成分が検出されない場合に、
前記ダミー光制御手段は、前記ダミー光発生手段にダミー光を発生させ、
前記合波部は、前記ダミー光を前記自装置から送信するデータの波長多重光と合波して前記後段の波長多重伝送装置へ送信することを特徴とする波長多重伝送装置。
【請求項２】
光伝送路を介して前段の波長多重伝送装置から受信された波長多重光のうち、パススルー伝送する波長帯域の波長多重光を、自装置から送信するデータの波長多重光と合波して後段の波長多重伝送装置へ送信する合波部を有する波長多重伝送装置において、
前記前段の波長多重伝送装置で所定のモニタ光が多重された波長多重光を受信し、前記受信した波長多重光のうち、自装置で終端する波長帯域の波長多重光とパススルー伝送する波長帯域の波長多重光とを分波する受信部と、
前記パススルー伝送する波長帯域の波長多重光から前記前段の波長多重伝送装置で多重された前記モニタ光を検出するモニタ光検出手段と、
ダミー光を発生するダミー光発生手段と、
前記ダミー光発生手段によるダミー光の発生を制御するダミー光制御手段とを備え、
前記モニタ光検出手段により前記モニタ光が検出されない場合に、
前記ダミー光制御手段は、前記ダミー光発生手段にダミー光を発生させ、
前記合波部は、前記ダミー光を前記自装置から送信するデータの波長多重光と合波して前記後段の波長多重伝送装置へ送信することを特徴とする波長多重伝送装置。
【請求項３】
前記受信部は、
前記自装置で終端する波長帯域の波長多重光を各信号波長に分離する分離手段と、
前記分離手段で分離された各信号波長の警報情報を検出するモニタ手段とを備え、
前記ダミー光制御手段は、
前記変調検出手段による変調成分の検出結果及び前記モニタ手段による警報情報の検出結果に基づいて、前記ダミー光発生手段によるダミー光の発生を制御することを特徴とする請求項１記載の波長多重伝送装置。
【発明の詳細な説明】
【技術分野】
【０００１】
この発明は、波長多重光を伝送する波長多重伝送装置に関する。
【背景技術】
【０００２】
波長多重伝送システムは、伝送路で互いに接続された複数の波長多重伝送装置を備え、前段の伝送装置で複数の信号をそれぞれ異なる波長の光に変調し、その波長光を多重して後段の伝送装置へ伝送する。後段の伝送装置は、前段から入力した波長多重光をそれぞれの波長ごとに分離し、その波長光を元の信号に復調する。
また、従来の波長多重伝送装置は、例えば、特許文献１、特許文献２及び特許文献３に記載されるように、後段に伝送（パススルー）する波長多重光の入力レベルをモニタし、この入力レベル（光パワーレベル）に基づいて、前段の伝送装置との間の伝送路における障害を検出する。
前段の伝送装置との伝送路に障害が発生すると、後段の伝送装置へ出力する波長多重光のレベルが変動するため、後段の伝送装置が受信する信号が劣化する可能性がある。
そこで、従来の波長多重伝送装置は、前段から入力した波長多重光の入力レベルが低下して伝送路の障害が検出されると、ダミー光を合波して後段の伝送装置へ伝送する波長多重光の出力レベルが一定に保たれるようにする。これにより、前段の伝送装置との間の伝送路に障害が発生しても、この障害の影響が後段へ波及することを防止できる。
【先行技術文献】
【特許文献】
【０００３】
【特許文献１】特許第３９７６７７１号公報
【特許文献２】特許第４５５７６４７号公報
【特許文献３】特開平１０−２００４８９号公報
【発明の概要】
【発明が解決しようとする課題】
【０００４】
従来の波長多重伝送装置は、前段の伝送装置から入力した波長多重光の光パワーレベルをモニタして伝送路の障害を検出する。しかしながら、伝送路から入力された波長多重光を増幅する光増幅部において、伝送路に障害が発生して光信号が断になると、自然放出光を増幅した雑音光成分（自然増幅光；ＡＳＥ）が発生して、前段から入力された波長多重光の入力パワーレベルが高くなり、伝送路の障害を正しく検出できない場合があるという課題があった。
【０００５】
この発明は、上記のような課題を解決するためになされたもので、伝送路の障害検出を的確に行うことができ、安定した伝送特性が得られる波長多重伝送装置を得ることを目的とする。
【課題を解決するための手段】
【０００６】
この発明に係る波長多重伝送装置は、光伝送路を介して前段の波長多重伝送装置から受信された波長多重光のうち、パススルー伝送する波長帯域の波長多重光を、自装置から送信するデータの波長多重光と合波して後段の波長多重伝送装置へ送信する合波部を有する波長多重伝送装置において、前段の波長多重伝送装置で変調処理された波長多重光を受信し、受信した波長多重光のうち、自装置で終端する波長帯域の波長多重光とパススルー伝送する波長帯域の波長多重光とを分波する受信部と、パススルー伝送する波長帯域の波長多重光から前段の波長多重伝送装置による変調成分を検出する変調検出手段と、ダミー光を発生するダミー光発生手段と、ダミー光発生手段によるダミー光の発生を制御するダミー光制御手段とを備え、変調検出手段により変調成分が検出されない場合に、ダミー光制御手段はダミー光発生手段にダミー光を発生させ、合波部はダミー光を自装置から送信するデータの波長多重光と合波して後段の波長多重伝送装置へ送信するものである。
【発明の効果】
【０００７】
この発明によれば、伝送路の障害検出を的確に行うことができ、安定した伝送特性が得られる波長多重伝送装置を提供することができるという効果がある。
【図面の簡単な説明】
【０００８】
【図１】この発明が扱う波長多重伝送システムの構成を示す図である。
【図２】この発明の実施の形態１による波長多重伝送装置の構成を示すブロック図である。
【図３】伝送路に出力された波長多重光を示す図である。
【図４】この発明の実施の形態２による波長多重伝送装置の構成を示すブロック図である。
【図５】伝送路に出力されたモニタ光を含む波長多重光を示す図である。
【図６】この発明の実施の形態３による波長多重伝送装置の構成を示すブロック図である。
【発明を実施するための形態】
【０００９】
実施の形態１．
図１は、この発明が扱う波長多重伝送システムの構成を示す図であり、光海底ケーブルシステムに適用した場合を示している。図１において、波長多重伝送システム１は、光ファイバケーブルを用いた伝送路で接続されたトランク局２ａ，２ｂ、分岐ユニット３ａ，３ｂ及びブランチ局４ａ，４ｂを備え、トランク局２ａ，２ｂ及びブランチ局４ａ，４ｂが、この発明の波長多重伝送装置として機能する。
分岐ユニット３ａは、トランク局２ａに接続する伝送路Ａ−１をブランチ局４ａへ分岐し、ブランチ局４ａに接続する伝送路Ｂ−１をトランク局２ｂへ分岐する構成部である。また、分岐ユニット３ｂは、トランク局２ａに接続する伝送路Ａ−２をブランチ局４ｂへ分岐し、ブランチ局４ｂに接続する伝送路Ｃ−２をトランク局２ｂへ分岐する構成部である。トランク局２ａ，２ｂは伝送路Ａ−３を介して接続される。
【００１０】
波長多重伝送システム１において、運用開始時は初期に必要となる波長数分だけで運用されるが、引き続き回線需要があると新たに伝送路の増設が行われる。ただし、光ファイバケーブルの伝送路を増設するには多大な費用が必要となる。
一般的に、トランク局−トランク局間の伝送需要が、トランク局−ブランチ局間よりも大きいため、トランク局−トランク局間の伝送容量限界の波長数となっても、トランク局−ブランチ局間では伝送容量に余裕がある場合がしばしば起こり得る。
そこで、ブランチ局において、運用されていない波長光を終端せず、トランク局にそのまま伝送することにより、費用がかかる伝送路の新設を行わずにトランク局−トランク局間の伝送容量を増加させることができる波長パススルー機能を有する波長多重伝送装置が注目されている。
【００１１】
図２は、この発明の実施の形態１による波長多重伝送装置の構成を示すブロック図であり、図１におけるブランチ局４ａの構成を主に示している。また、分岐ユニット３ａは、記載を省略している。信号の伝送方向を、図２中の矢印で示す左から右方向としている。なお、本発明は、後段のブランチ局４ａ（若しくはブランチ局４ｂ）の障害検出に関するものであるため、前段のトランク局２ａについては受信部の記載を省略している。
図２において、トランク局２ａの送信部５は、伝送路Ａ−１を介して後段のブランチ局４ａへ波長多重光を伝送する構成部であり、波長変換部５ａ、多重部５ｂ、光増幅部５ｃ及び変調ブロック５ｄを備える。
また、ブランチ局４ａの受信部６は、伝送路Ａ−１を介してトランク局２ａからの波長多重光を受信する構成部であり、光増幅部６ａ、１：２分波部６ｂ、分離部６ｃ及び波長変換部６ｄを備える。送信部７は、送信データを波長多重光として、伝送路Ｂ−１を介して後段のトランク局２ｂへ送信する構成部であり、波長変換部７ａ、多重部７ｂ、２：１合波部７ｃ、光増幅部７ｄ、１：２分波部７ｅ、ダミー光制御部７ｆ、ダミー光源部７ｇ、２：１合波部７ｈ、波長フィルタ７ｉ及び変調検出ブロック７ｊを備える。なお、ブランチ局４ｂの送信部も、上記送信部７と同様の構成であるものとする。
以降では、説明の簡単のため、トランク局２ａとブランチ局４ａにおける動作を、図２を参照して説明する。
【００１２】
（１）通常時の動作（伝送路Ａ−１に障害なし）
先ず、トランク局２ａにおいて、伝送対象の各送信データが、波長変換部５ａによって各送信データに対応する信号毎の波長光に変換される。多重部５ｂは、波長変換部５ａで変換された信号毎の波長光を多重化し波長多重光を生成する。この波長多重光は、光増幅部５ｃによって所定の出力レベルに増幅される。
この後、実施の形態１の特有な構成である変調ブロック５ｄが、光増幅部５ｃの出力に対して伝送特性に影響がない強度で固有のパターンの振幅変調を行って、伝送路Ａ−１へ出力する。
図３は、伝送路に出力された波長多重光を示す図である。トランク局２ａから伝送路Ａ−１に出力された波長多重光は、図３に示すように複数の波長の信号からなる。図３に示す例では、光増幅部５ｃにより光パワーが増幅され、送受信する信号として長波長側の波長帯域に５チャンネルの信号と、トランク局２ｂへパススルーする信号として短波長側の波長帯域に５チャンネルの信号が波長多重されている。
【００１３】
ここでは伝送路Ａ−１に障害が発生していないので、トランク局２ａからの波長多重光がブランチ局４ａの受信部６に受信される。受信部６の光増幅部６ａは、トランク局２ａから受信した波長多重光を増幅する。
１：２分波部６ｂは、図３に示したような送受信する信号とパススルーする信号の各波長帯域に基づいて、光増幅部６ａから入力した波長多重光を２つに分波し、分波した一方を分離部６ｃへ出力し、もう一方を送信部７へパススルーする。
分離部６ｃは、１：２分波部６ｂから入力した波長多重光から、ブランチ局４ａで終端する波長光をそれぞれ波長毎に分離して波長変換部６ｄへ出力する。波長変換部６ｄは、分離部６ｃから入力した各波長光を元の信号に復調し受信データとして出力する。
【００１４】
パススルーされた波長多重光は、送信部７の１：２分波部７ｅに入力される。１：２分波部７ｅは、入力した波長多重光を２つに分波して、一方を２：１合波部７ｈへ出力し、もう一方を変調検出ブロック７ｊへ出力する。変調検出ブロック７ｊは、入力された波長多重光から、トランク局２ａの変調ブロック５ｄにかけられた変調成分（振幅変調の固有パターン）を検出する処理を行う。ここでは伝送路Ａ−１に障害が発生していないので、変調検出ブロック７ｊによって変調成分が検出される。このとき、変調検出ブロック７ｊは、伝送路Ａ−１が正常である旨をダミー光制御部７ｆへ通知する。
【００１５】
なお、従来の波長多重伝送装置では、１：２分波部７ｅに分波された波長多重光の一方が、変調検出ブロック７ｊの代わりにモニタ部へ入力される。このモニタ部は、入力した波長多重光（パススルーされた波長多重光）の入力レベル（光パワーレベル）をモニタして、その入力レベルの低下から伝送路Ａ−１に障害が発生したか否かを検出する。
しかしながら、伝送路Ａ−１に障害が発生して波長多重光の入力が断となっても、光増幅部６ａが自然放出光を増幅したＡＳＥ光を発生するため、モニタ部へ入力される光パワーレベルが低下せず、伝送路Ａ−１に障害が検出されない可能性がある。
これに対し、実施の形態１は、後段の伝送装置が、入力光の光パワーレベルではなく、前段の伝送装置で信号光にかけられた変調成分を検出できたか否かによって伝送路Ａ−１の障害発生を判定する。従って、光増幅部６ａでＡＳＥ光が発生しても、伝送路Ａ−１の障害を確実に検出することが可能である。
【００１６】
ダミー光制御部７ｆは、変調検出ブロック７ｊから伝送路Ａ−１が正常である旨の通知を受けると、ダミー光を発光しないようにダミー光源部７ｇを制御する。従って、２：１合波部７ｈは、１：２分波部７ｅから入力した波長多重光（パススルーされた波長多重光）をそのまま波長フィルタ７ｉへ出力する。
波長フィルタ７ｉは、受信部６からパススルーされた波長多重光の中から、ブランチ局４ａで分岐し終端する波長光をブロックし、後段のトランク局２ｂへパススルーする波長光のみを２：１合波部７ｃへ出力する。
【００１７】
一方、ブランチ局４ａからの各送信データは、波長変換部７ａが、各送信データに対応する信号毎の波長光に変換する。多重部７ｂでは、波長変換部７ａで変換された信号毎の波長光を多重化し波長多重光を生成する。
２：１合波部７ｃは、ブランチ局４ａから送信される信号の波長多重光とトランク局２ｂへパススルーする波長多重光とを合波して光増幅部７ｄへ出力する。光増幅部７ｄは、２：１合波部７ｃから入力した波長多重光を増幅して伝送路Ｂ−１へ出力する。
【００１８】
（２）異常時の動作（伝送路Ａ−１に障害あり）
海底区間におけるケーブル断等の伝送路Ａ−１に障害が発生すると、ブランチ局４ａの受信部６への入力が断たれ、ブランチ局４ａにおける受信データは全波長で断となる。
このとき、受信部６の光増幅部６ａへの入力が断になるため、１：２分波部６ｂへ入力されてパススルーされる波長多重光はなく、送信部７の１：２分波部７ｅは、変調検出ブロック７ｊへ波長多重光を出力できない。このため、変調検出ブロック７ｊは、変調成分を検出できず、伝送路Ａ−１に障害が発生したと判定し、その旨をダミー光制御部７ｆへ通知する。ダミー光制御部７ｆは、伝送路Ａ−１に障害が発生した旨の通知を受けると、ダミー光を発光するようにダミー光源部７ｇを制御する。ダミー光源部７ｇで発光されたダミー光は、２：１合波部７ｈへ出力される。
【００１９】
２：１合波部７ｈは、１：２分波部７ｅからの波長多重光が入力されないので、ダミー光源部７ｇで発光されたダミー光を波長フィルタ７ｉへ出力する。波長フィルタ７ｉは、ダミー光源部７ｇから入力したダミー光の中から、ブランチ局４ａで分岐し終端する波長光をブロックして２：１合波部７ｃへ出力する。
一方、２：１合波部７ｃは、ブランチ局４ａから送信される信号の波長多重光とダミー光とを合波して光増幅部７ｄへ出力する。光増幅部７ｄでは、２：１合波部７ｃから入力した波長多重光を増幅して伝送路Ｂ−１へ出力する。このように、ダミー光を新たに挿入することで、２：１合波部７ｃの出力パワーレベルは、通常時と同様になり、伝送品質を保つことができる。
【００２０】
以上のように、この実施の形態１によれば、前段の波長多重伝送装置で変調処理された波長多重光を受信し、受信した波長多重光のうち、自装置で終端する波長帯域の波長多重光とパススルー伝送する波長帯域の波長多重光とを分波する受信部６と、パススルー伝送する波長帯域の波長多重光から前段の波長多重伝送装置による変調成分を検出する変調検出ブロック７ｊと、ダミー光を発生するダミー光源部７ｇと、ダミー光源部７ｇによるダミー光の発生を制御するダミー光制御部７ｆとを備え、ダミー光制御部７ｆは、変調検出ブロック７ｊにより変調成分が検出されない場合にダミー光源部７ｇにダミー光を発生させ、パススルー伝送する波長帯域の波長多重光にダミー光を合波した波長多重光と自装置から送信するデータの波長多重光とを合波して後段の波長多重伝送装置へ送信する。
このように前段の伝送装置が信号光にかけた変調成分を後段で検出できるか否かに基づいて伝送路Ａ−１の障害を検出するので、伝送路の障害検出を的確に行うことができ、安定した伝送特性が得られる波長多重伝送装置を提供することができる。
【００２１】
なお、上記実施の形態１では、変調ブロック５ｄで行う変調方式を振幅変調とした場合を示したが、変調検出ブロック７ｊで変調成分が検出可能な変調方式であれば、周波数変調等の他の変調方式であってもかまわない。また、変調ブロック５ｄは、光増幅部５ｃの前段に配置してもよい。
【００２２】
実施の形態２．
図４は、この発明の実施の形態２による波長多重伝送装置の構成を示すブロック図である。図４に示すように、実施の形態２では、トランク局２ａの送信部５において、上記実施の形態１で示した変調ブロック５ｄの代わりにモニタ光出力部５ｅを備えており、ブランチ局４ａ（及びブランチ局４ｂ）の送信部７において、上記実施の形態１で示した変調検出ブロック７ｊの代わりに、モニタ光変調検出部７ｋを備えている。
モニタ光出力部５ｅは、波長変換部５ａから出力される各信号の波長とは異なる波長であって、固有のパターンで振幅変調したモニタ光を出力する構成部である。
また、モニタ光変調検出部７ｋは、入力した波長多重光からモニタ光の波長のみを分離して振幅変調成分を検出する構成部であり、この変調成分の検出有無に基づいて伝送路Ａ−１の障害発生を検出する。
なお、図４において、図２と同一及びこれに相当する構成には同一符号を付して重複した説明を省略する。
【００２３】
次に動作について説明する。
（１）通常時の動作（伝送路Ａ−１に障害なし）
先ず、トランク局２ａにおいて、伝送対象の各送信データが、波長変換部５ａによって各送信データに対応する信号毎の波長光に変換され、多重部５ｂへ出力される。
一方、モニタ光出力部５ｅは、上記各信号の波長とは異なる波長であって、固有のパターンで振幅変調したモニタ光を生成して多重部５ｂへ出力する。
多重部５ｂは、波長変換部５ａで変換された信号毎の波長光及びモニタ光出力部５ｅで生成されたモニタ光を多重化し波長多重光を生成する。この波長多重光は、光増幅部５ｃによって所定の出力レベルに増幅される。増幅された波長多重光は、伝送路Ａ−１へ出力される。
【００２４】
図５は、伝送路に出力されたモニタ光を含む波長多重光を示す図である。実施の形態２によるトランク局２ａから伝送路Ａ−１に出力された波長多重光は、図５に示すように、複数の波長の信号と変調光からなる。図５に示す例では、光増幅部５ｃにより光パワーが増幅され、送受信する信号として長波長側の波長帯域に５チャンネルの信号と、トランク局２ｂへパススルーする信号として短波長側の波長帯域に５チャンネルの信号と、これらの波長帯域の外側にあるモニタ光が波長多重されている。
【００２５】
ここでは伝送路Ａ−１に障害が発生していないので、トランク局２ａからの波長多重光がブランチ局４ａの受信部６に受信される。受信部６の光増幅部６ａは、トランク局２ａから受信した波長多重光を増幅する。
１：２分波部６ｂは、図５に示したような送受信する信号とパススルーする信号の各波長帯域に基づいて、光増幅部６ａから入力した波長多重光を２つに分波し、分波した一方を分離部６ｃへ出力し、もう一方を送信部７へパススルーする。
分離部６ｃは、１：２分波部６ｂから入力した波長多重光から、ブランチ局４ａで終端する波長光をそれぞれ波長毎に分離して波長変換部６ｄへ出力する。波長変換部６ｄは、分離部６ｃから入力した各波長光を元の信号に復調し受信データとして出力する。
【００２６】
パススルーされた波長多重光は、送信部７の１：２分波部７ｅに入力される。１：２分波部７ｅは、入力した波長多重光を２つに分波して、一方を２：１合波部７ｈへ出力し、もう一方をモニタ光変調検出部７ｋへ出力する。モニタ光変調検出部７ｋは、入力された波長多重光から、トランク局２ａのモニタ光出力部５ｅから出力されたモニタ光の波長のみを分離し、変調成分（振幅変調の固有パターン）を検出する処理を行う。ここでは伝送路Ａ−１に障害が発生していないので、モニタ光変調検出部７ｋによって変調成分が検出される。このとき、モニタ光変調検出部７ｋは、伝送路Ａ−１が正常である旨をダミー光制御部７ｆへ通知する。
【００２７】
ダミー光制御部７ｆは、モニタ光変調検出部７ｋから伝送路Ａ−１が正常である旨の通知を受けると、ダミー光を発光しないようにダミー光源部７ｇを制御する。従って、２：１合波部７ｈは、１：２分波部７ｅから入力した波長多重光（パススルーされた波長多重光）をそのまま波長フィルタ７ｉへ出力する。
波長フィルタ７ｉは、受信部６からパススルーされた波長多重光の中から、ブランチ局４ａで分岐し終端する波長光をブロックし、後段のトランク局２ｂへパススルーする波長光のみを２：１合波部７ｃへ出力する。
【００２８】
一方、ブランチ局４ａからの各送信データは、波長変換部７ａが、各送信データに対応する信号毎の波長光に変換する。多重部７ｂでは、波長変換部７ａで変換された信号毎の波長光を多重化し波長多重光を生成する。
２：１合波部７ｃは、ブランチ局４ａから送信される信号の波長多重光とトランク局２ｂへパススルーする波長多重光とを合波して光増幅部７ｄへ出力する。光増幅部７ｄは、２：１合波部７ｃから入力した波長多重光を増幅して伝送路Ｂ−１へ出力する。
【００２９】
（２）異常時の動作（伝送路Ａ−１に障害あり）
海底区間におけるケーブル断等の伝送路Ａ−１に障害が発生すると、ブランチ局４ａの受信部６への入力が断たれ、ブランチ局４ａにおける受信データは全波長で断となる。
このとき、受信部６の光増幅部６ａへの入力が断になるため、１：２分波部６ｂへ入力されてパススルーされる波長多重光はなく、送信部７の１：２分波部７ｅは、モニタ光変調検出部７ｋへ波長多重光を出力できない。このため、モニタ光変調検出部７ｋは、変調成分を検出できず、伝送路Ａ−１に障害が発生したと判定して、その旨をダミー光制御部７ｆへ通知する。ダミー光制御部７ｆは、伝送路Ａ−１に障害が発生した旨の通知を受けると、ダミー光を発光するようにダミー光源部７ｇを制御する。ダミー光源部７ｇで発光されたダミー光は、２：１合波部７ｈへ出力される。
【００３０】
２：１合波部７ｈは、１：２分波部７ｅからの波長多重光が入力されないので、ダミー光源部７ｇで発光されたダミー光を波長フィルタ７ｉへ出力する。波長フィルタ７ｉは、ダミー光源部７ｇから入力したダミー光の中から、ブランチ局４ａで分岐し終端する波長光をブロックして２：１合波部７ｃへ出力する。
一方、２：１合波部７ｃは、ブランチ局４ａから送信される信号の波長多重光とダミー光とを合波して光増幅部７ｄへ出力する。光増幅部７ｄでは、２：１合波部７ｃから入力した波長多重光を増幅して伝送路Ｂ−１へ出力する。このように、ダミー光を新たに挿入することで、２：１合波部７ｃの出力パワーレベルは、通常時と同様になり、伝送品質を保つことができる。
【００３１】
以上のように、この実施の形態２によれば、前段の波長多重伝送装置で所定のモニタ光が多重された波長多重光を受信し、受信した波長多重光のうち、自装置で終端する波長帯域の波長多重光とパススルー伝送する波長帯域の波長多重光とを分波する受信部６と、パススルー伝送する波長帯域の波長多重光から前段の波長多重伝送装置で多重されたモニタ光を検出するモニタ光変調検出部７ｋと、ダミー光を発生するダミー光源部７ｇと、ダミー光源部７ｇによるダミー光の発生を制御するダミー光制御部７ｆとを備え、ダミー光制御部７ｆは、モニタ光変調検出部７ｋによりモニタ光が検出されない場合にダミー光源部７ｇにダミー光を発生させ、パススルー伝送する波長帯域の波長多重光にダミー光を合波した波長多重光と自装置から送信するデータの波長多重光とを合波して後段の波長多重伝送装置へ送信する。このように構成することで、送信データを伝送する信号波長には変調を行わないので、上記実施の形態１と比較して信号光の特性劣化が全くない。このため、伝送路の特性が悪く、伝送条件が厳しい場合においても適用することが可能である。
【００３２】
なお、上記実施の形態２では、モニタ光出力部５ｅで行う変調方式を振幅変調とした場合を示したが、モニタ光変調検出部７ｋで変調成分が検出可能な変調方式であれば、周波数変調等の他の変調方式であってもかまわない。
【００３３】
実施の形態３．
図６は、この発明の実施の形態３による波長多重伝送装置の構成を示すブロック図である。図６に示すように、実施の形態３では、ブランチ局４ａ（及びブランチ局４ｂ）の受信部６において、上記実施の形態１で示した波長変換部６ｄの前段にモニタ部６ｅを備えている。モニタ部６ｅは、波長変換部６ｄの前段に設けられ、分離部６ｃから入力される各波長の信号について、受信に不備があった場合に付加される警報情報をモニタする構成部である。例えば、ＳＤＨ（Synchronous Digital Hierarchy）又はＯＴＮ（Optical Transport Network）等で定義されるフレームにおける、受信フレーム同期外れ情報をモニタする。
【００３４】
モニタ部６ｅは、分離部６ｃから入力される全ての波長の信号について警報情報を検出した場合に伝送路Ａ−１に障害が発生したものと判断し、その旨をダミー光制御部７ｆに通知する。ダミー光制御部７ｆは、変調検出ブロック７ｊの障害判定結果、及びモニタ部６ｅからの障害判定結果に基づき、両者が共に障害ありを判定した場合に、ダミー光源部７ｇにダミー光を発光させる。
【００３５】
以上のように、この実施の形態３によれば、モニタ部６ｅによって波長多重光の全ての波長の信号光で警報情報が検出されたか否かと、変調検出ブロック７ｊによって波長多重光から、前段で付与された変調成分が検出されたか否かとの両方をモニタして伝送路Ａ−１の障害発生を判定する。このようにすることで、前段の変調ブロック５ｄに故障が発生した場合に伝送路の障害を誤判定することを回避でき、より確実に伝送路障害を検出することができる。
【００３６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３７】
１  波長多重伝送システム、２ａ，２ｂ  トランク局、３ａ，３ｂ  分岐ユニット、４ａ，４ｂ  ブランチ局、５，７  送信部、５ａ，６ｄ，７ａ  波長変換部、５ｂ，７ｂ  多重部、５ｃ，６ａ，７ｄ  光増幅部、５ｄ  変調ブロック、５ｅ  モニタ光出力部、６  受信部、６ｂ，７ｅ  １：２分波部、６ｃ  分離部、６ｅ  モニタ部、７ｃ，７ｈ  ２：１合波部、７ｆ  ダミー光制御部、７ｇ  ダミー光源部、７ｉ  波長フィルタ、７ｊ  変調検出ブロック、７ｋ  モニタ光変調検出部。
【図１】
0005627489.tif 000002
【図２】
0005627489.tif 000003
【図３】
0005627489.tif 000004
【図４】
0005627489.tif 000005
【図５】
0005627489.tif 000006
【図６】
0005627489.tif 000007